(57)【要約】【課題】内燃機関の排気系にスターリングエンジンよりも下流側に設けられた触媒のＯＴ対策が可能なスターリングエンジンを提供する。【解決手段】内燃機関２００の排気系１００において前記排気系に設けられた触媒３００よりも上流側に設けられたスターリングエンジン１０であって、前記スターリングエンジンの加熱器４７と冷却器４５とを直接連通させる連通路４００と、前記触媒の温度Ｔに対応した触媒対応温度Ｔａを取得する触媒対応温度取得手段とを備え、前記触媒対応温度が所定値Ｔswitchを超える場合に前記連通路により前記加熱器と前記冷却器とが直接連通した状態とされることを特徴としている。作動流体が再生器４６をバイパスして通ることで、スターリングエンジンの排熱回収効率が低下し、スターリングエンジンを通過した後の排気ガスの温度が低下することで触媒の過熱が防止される。【選択図】        図１
2005337178.tif 000002
【特許請求の範囲】
【請求項１】
内燃機関の排気系において前記排気系に設けられた触媒よりも上流側に設けられたスターリングエンジンであって、
前記スターリングエンジンの加熱器と冷却器とを直接連通させる連通路と、
前記触媒の温度に対応した触媒対応温度を取得する触媒対応温度取得手段とを備え、
前記触媒対応温度が所定値を超える場合に前記連通路により前記加熱器と前記冷却器とが直接連通した状態とされる
ことを特徴とするスターリングエンジン。
【請求項２】
請求項１記載のスターリングエンジンにおいて、
前記触媒対応温度は、前記排気系において、前記スターリングエンジンよりも上流側の温度である
ことを特徴とするスターリングエンジン。
【発明の詳細な説明】
【技術分野】
【０００１】
本発明は、スターリングエンジンに関し、特に、内燃機関の排気系において触媒が設けられた位置よりも上流側に設けられたスターリングエンジンに関する。
【背景技術】
【０００２】
近年、乗用車やバス、トラック等の車両に搭載される内燃機関の排熱や工場排熱を回収する外燃機関として、理論熱効率に優れたスターリングエンジンが注目されてきている。
【０００３】
特開２００２−２６６７０１号公報（特許文献１）には、内燃機関の排気系にスターリングエンジンを設ける点が開示されている。
特開２００２−１１５５７４号公報（特許文献２）には、エンジンの排気系に設けたランキンサイクル装置の出力推定方法として、排気ガスのエネルギーと交換効率の積に基づいて推定する方法が開示されている。
【０００４】
【特許文献１】特開２００２−２６６７０１号公報
【特許文献２】特開２００２−１１５５７４号公報
【発明の開示】
【発明が解決しようとする課題】
【０００５】
内燃機関の排気系にスターリングエンジンとともに設けられる触媒のＯＴ（過熱）対策が求められている。しかしながら、従来、このような場合の触媒のＯＴ対策として効果的なものは開示されていない。
【０００６】
本発明の目的は、内燃機関の排気系にスターリングエンジンよりも下流側に設けられた触媒のＯＴ対策が可能なスターリングエンジンを提供することである。
【課題を解決するための手段】
【０００７】
本発明のスターリングエンジンは、内燃機関の排気系において前記排気系に設けられた触媒よりも上流側に設けられたスターリングエンジンであって、前記スターリングエンジンの加熱器と冷却器とを直接連通させる連通路と、前記触媒の温度に対応した触媒対応温度を取得する触媒対応温度取得手段とを備え、前記触媒対応温度が所定値を超える場合に前記連通路により前記加熱器と前記冷却器とが直接連通した状態とされることを特徴としている。
【０００８】
上記本発明によれば、作動流体が再生器をバイパスして通ることで、スターリングエンジンの排熱回収効率が低下し、スターリングエンジンを通過した後の排気ガスの温度が低下することで触媒の過熱が防止される。
【０００９】
本発明のスターリングエンジンにおいて、前記触媒対応温度は、前記排気系において、前記スターリングエンジンよりも上流側の温度であることを特徴としている。
【発明の効果】
【００１０】
本発明によれば、内燃機関の排気系にスターリングエンジンよりも下流側に設けられた触媒のＯＴ対策が可能となる。
【発明を実施するための最良の形態】
【００１１】
以下、本発明のスターリングエンジンの一実施形態につき図面を参照しつつ詳細に説明する。
【００１２】
（第１実施形態）
本実施形態は、図７に示すように、内燃機関２００の排気系１００にスターリングエンジン１０よりも下流側に設けられた触媒３００のＯＴ（過熱状態）対策を行うことを目的としている。
【００１３】
図６は、本実施形態のスターリングエンジンを示す正面図である。図６に示すように、本実施形態のスターリングエンジンは、α型（２ピストン形）のスターリングエンジン１０であり、二つのパワーピストン２０、３０を備えている。二つのパワーピストン２０、３０は、直列並行に配置されている。低温側パワーピストン３０のピストン３１は、高温側パワーピストン２０のピストン２１に対して、クランク角で９０°程度遅れて動くように位相差がつけられている。
【００１４】
高温側パワーピストン２０のシリンダ（以下高温側シリンダという）２２の上部の空間（膨張空間）には、加熱器４７によって加熱された作動流体が流入する。低温側パワーピストン３０のシリンダ（以下低温側シリンダという）３２の上部の空間（圧縮空間）には、冷却器４５によって冷却された作動流体が流入する。
【００１５】
再生器（再生熱交換器）４６は、膨張空間と圧縮空間を作動流体が往復する際に熱を蓄える。即ち、膨張空間から圧縮空間へと作動流体が流れる時には、再生器４６は、作動流体より熱を受け取り、圧縮空間から膨張空間へと作動流体が流れる時には、蓄えられた熱を作動流体に渡す。
【００１６】
２つのピストン２１、３１の往復動に伴い、作動ガスの往復流動が生じて高温側シリンダ２２の膨張空間と低温側シリンダ３２の圧縮空間にある作動流体の割合が変化するとともに、全内容積も変わるため、圧力の変動が生じる。２つのピストン２１、３１がそれぞれ同位置にある場合の圧力を比較すると、膨張ピストン２１についてはその上昇時より下降時の方がかなり高く、圧縮ピストン３１については逆に低くなる。このため、膨張ピストン２１は外部に対し大きな正の仕事（膨張仕事）を行い、圧縮ピストン３１は外部から仕事（圧縮仕事）を受ける必要がある。膨張仕事は、一部が圧縮仕事に使われ、残りが駆動軸４０を介して出力として取り出される。
【００１７】
本実施形態のスターリングエンジン１０は、図７に示すように、車両において主エンジン（ガソリンエンジン、内燃機関）２００と共に用いられてハイブリッドシステムを構成する。即ち、スターリングエンジン１０は、主エンジン２００の排気ガスを熱源として用いた排気熱回収装置である。スターリングエンジン１０の加熱器４７が車両の主エンジン２００の排気管１００の内部に配置され、排気ガスから回収した熱エネルギーにより作動流体が加熱されてスターリングエンジン１０が作動する。スターリングエンジン１０は、排気管１００の触媒３００よりも上流側に設けられている。
【００１８】
本実施形態のスターリングエンジン１０は、排気管１００の内部にその加熱器４７が収容されるというように車両内の限られたスペースに設置されるため、装置全体がコンパクトである方が設置の自由度が増す。そのために、スターリングエンジン１０では、２つのシリンダ２２、３２をＶ字形ではなく、直列並行に配置した構成を採用している。
【００１９】
加熱器４７が排気管１００の内部に配置されるに際しては、排気管１００の内部において相対的に高温の排気ガスが流れる排気ガスの上流側（主エンジン２００に近い側）１００ａに、加熱器４７の高温側シリンダ２２側が位置し、相対的に低温の排気ガスが流れる下流側（主エンジン２００から遠い側）１００ｂに加熱器４７の低温側シリンダ３２側が位置するように配置される。加熱器４７の高温側シリンダ２２側をより多く加熱するためである。
【００２０】
高温側シリンダ２２及び低温側シリンダ３２のそれぞれは、円筒状に形成されており、基準体である基板４２に支持されている。本実施形態においては、この基板４２が、スターリングエンジン１０の各構成要素の位置基準となる。このように構成されることで、スターリングエンジン１０の各構成要素の相対的位置精度が確保される。また、この基板４２は、スターリングエンジン１０が排熱回収対象である排気管（排気通路）１００等に取り付けられるときの基準として用いられることができる。
【００２１】
排気管１００のフランジ１００ｆに対して、断熱材（スペーサ、図示せず）を介して、基板４２が固定されている。基板４２には、高温側シリンダ２２の側面（外周面）２２ｃに設けられたフランジ２２ｆが固定されている。また、基板４２には、再生器４６の側面（外周面）４６ｃに設けられたフランジ４６ｆが固定されている。
【００２２】
排気管１００とスターリングエンジン１０とは、基板４２を介して取り付けられる。このとき、基板４２と、高温側シリンダ２２において加熱器４７が接続される側の端面（頂部２２ｂの上面）、及び低温側シリンダ３２において冷却器４５が接続される側の端面（頂面３２ａ）とが実質的に平行になるように、スターリングエンジン１０が基板４２に取り付けられる。あるいは、基板４２とクランクシャフト６１（又は駆動軸４０）の回転軸とが平行になるように、もしくは排気管１００の中心軸とクランクシャフト６１の回転軸とが平行になるように、スターリングエンジン１０が基板４２に取り付けられる。これにより、既存の排気管１００に大幅な設計変更を加えることなく、容易に排気管１００にスターリングエンジン１０を取り付けることができる。その結果、排熱回収対象である車両の内燃機関本体の性能や搭載性、騒音等の機能を損なうことなくスターリングエンジン１０を排気管１００に搭載することができる。また、同一仕様のスターリングエンジン１０を異なる排気管に取り付ける場合でも、加熱器４７の仕様を変更するだけで対応できるので、汎用性を向上させることができる。
【００２３】
スターリングエンジン１０は、車両の床下に配された排気管１００に隣接するスペースに、横置き、即ち、車両の床面（図示せず）に対して、高温側シリンダ２２及び低温側シリンダ３２のそれぞれの軸線方向が概ね平行になるように配置され、２つのピストン２１、３１は、水平方向に往復動される。本実施形態では、説明の便宜上、２つのピストン２１、３１の上死点側を上方向、下死点側を下方向であるとして説明する。
【００２４】
作動流体は、その平均圧力が高い程、冷却器４５や加熱器４７による同じ温度差に対しての圧力差が大きくなるので高い出力が得られる。そのため、上記のように、高温側シリンダ２２、低温側シリンダ３２内の作動流体は高圧に保持されている。
【００２５】
ピストン２１，３１は、円柱状に形成されている。ピストン２１、３１の外周面とシリンダ２２、３２の内周面との間には、それぞれ数十μｍの微小クリアランスが設けられており、そのクリアランスには、スターリングエンジン１０の作動流体（空気）が介在している。ピストン２１，３１は、それぞれシリンダ２２、３２に対して空気軸受４８により非接触の状態で支持されている。したがって、ピストン２１，３１の周囲には、ピストンリングは設けられておらず、また、一般にピストンリングと共に使用される潤滑油も使用されていない。但し、シリンダ２２、３２の内周面には、固定潤滑材が付されている。空気軸受４８の作動流体の摺動抵抗は元々極めて低いが、更に低減するために、固定潤滑材が付されている。上記のように、空気軸受４８は、作動流体（気体）により膨張空間、圧縮空間それぞれの気密を保ち、リングレスかつオイルレスでクリアランスシールを行う。
【００２６】
加熱器４７は、複数の伝熱管（管群）４７ｔを有し、それらの複数の伝熱管４７tが概ねＵ字形の形状に形成されてなるものである。各伝熱管４７ｔの第１端部４７ｔａが高温側シリンダ２２の上部（頂部）（頂面２２ａ側の端面）２２ｂに接続されている。各伝熱管４７ｔの第２端部４７ｔｂが再生器４６の上部（加熱器４７側の端面）４６ａに接続されている。上記のように、加熱器４７が概ねＵ字形に形成されている理由については後述する。
【００２７】
再生器４６は、蓄熱材（マトリックス、図示せず）と、そのマトリックスが収容される再生器ハウジング４６ｈとを備えている。再生器ハウジング４６ｈには、高圧の作動流体が入るため、再生器ハウジング４６ｈは、耐圧容器である。再生器４６では、マトリックスとして、積層された金網が用いられている。
【００２８】
再生器４６には、上述した機能から、以下の条件が要求される。即ち、伝熱性能と蓄熱容量が高く、流動抵抗（流動損失、圧力損失）が小さいことのほか、作動流体の流れ方向の熱伝導率が小さく、温度勾配を大きくとれることが要求される。その金網の材料は、ステンレス鋼であることができる。積層された各金網のメッシュを通過するときに、その金網に作動流体の熱が蓄熱される。
【００２９】
加熱器４７において高温側シリンダ２２との接続部分（横断面形状）は、高温側シリンダ２２の上部（加熱器４７との接続部分）の開口形状（真円）と同じ形状・大きさとされている。同様に、加熱器４７において再生器４６との接続部分は、再生器４６の上面と同じ形状・大きさとされている。即ち、加熱器４７、再生器４６の断面形状は、高温側シリンダ２２及び低温側シリンダ３２の開口形状と同じ形状・大きさに形成されている。この構成により、作動流体の流路抵抗（流通抵抗）が低減される。
【００３０】
再生器４６の加熱器４７側の端面４６ａと、再生器４６の冷却器４５側の端面の近傍には、再生器４６をバイパスさせるバイパス通路４００が接続されている。後述するように、触媒３００がＯＴである場合には、バルブ４１０を開けることでスターリングエンジン１０の作動流体をバイパス通路４００へ通す。このとき、作動流体の熱が再生器４６に蓄熱されないため、加熱器４７で奪った熱は冷却器４５へ逃げる。一方、触媒３００が適正である場合には、バルブ４１０を閉じておき、スターリングエンジン１０の作動流体は、再生器４６を通る（スターリングエンジン１０の通常運転）。
【００３１】
本実施形態では、カウンタウェイト９０が、スターリングエンジン１０全体の上下方向の大きさに与える影響を最小限に抑えるべく、スターリングエンジン１０全体の上下方向の大きさに影響を与えることなくスペースを確保可能な高温側シリンダ２２側にカウンタウェイト９０が設けられている。
【００３２】
次に、触媒３００に関するスターリングエンジン１０の制御について説明する。
【００３３】
まず、触媒３００に関するスターリングエンジン１０の制御についての概要について説明する。
【００３４】
スターリングエンジン１０が排気熱から出力を取り出す場合、排気から奪う熱量を管理しないと、触媒３００が必要とする熱が不足する。また、スターリングエンジン１０を作動させたとしても、触媒３００にとって過大な熱量が触媒３００に取り込まれ、触媒３００がＯＴ状態となるおそれがある。排気熱回収機関であるスターリングエンジン１０では、スターリングエンジン１０と触媒３００との間での熱管理が必要となる。
【００３５】
（１）触媒３００の暖機が不十分であるとき、または触媒３００の温度（触媒対応温度）Ｔが所定値よりも低いときには、スターリングエンジン（排熱回収機関）１０を停止させる。即ち、主エンジン２００から排気管１００を通って供給される排気熱をスターリングエンジン１０にて回収しない。これにより、触媒３００の暖機を促進させ、また、触媒３００の温度Ｔを触媒３００の活性化温度まで上昇させることができる。
【００３６】
（２）触媒３００の温度Ｔが、触媒３００の活性化温度以上であって、かつ正常の範囲の温度（適正温度）であるときには、スターリングエンジン（排熱回収機関）１０を作動させ、エネルギーを回収する。
【００３７】
（３）触媒３００の温度Ｔが過熱（ＯＴ：Over Temparature）状態であるときには、スターリングエンジン１０の作動流体の流路において、再生器４６をバイパスさせ、スターリングエンジン１０の効率を落とし、触媒において必要とされない余分な熱量をスターリングエンジン１０側で消費させる。即ち、スターリングエンジン１０の熱交換器の冷却側へ余剰熱が捨てられる。
【００３８】
（４）触媒３００の温度Ｔが過熱状態と判定されるための閾値の温度ＴOTを超えたか否かは、例えば、排気管１００内において、スターリングエンジン１０よりも上流側にて検出された排気ガスの温度（触媒対応温度）Ｔａに基づいて、判定される。これにより、スターリングエンジン１０のバイパス通路４００に設けられたバルブ４１０の開閉動作のハンチングが防止される。
【００３９】
図１及び図２を参照して、触媒３００に関するスターリングエンジン１０の制御方法について説明する。図２は、触媒３００の温度Ｔと制御との関係を説明するためのグラフである。
【００４０】
［ステップＳ１］
まず、ステップＳ１において、触媒３００の温度Ｔが求められる。この場合、触媒３００の温度Ｔは、直接測定されることができるのは勿論、触媒３００の温度Ｔと関連のある、例えば、図３に示すように、排気管１００において、スターリングエンジン１０よりも上流側の温度Ｔａや、スターリングエンジン１０と触媒３００の間の位置の温度Ｔｂを計測することにより、間接的に求めることができる。ステップＳ１の次に、ステップＳ２が行われる。
【００４１】
［ステップＳ２］
ステップＳ２では、上記ステップＳ１で求められた温度Ｔが、予め設定された触媒３００の活性化温度に到達するときの閾値となる温度（活性化下限温度）ＴLOWを超えているか否かが判定される。その判定の結果、触媒３００の温度Ｔが活性化下限温度ＴLOWを超えていると判定された場合には、ステップＳ３に進み、そうでない場合にはステップＳ６に進む。
【００４２】
［ステップＳ３］
ステップＳ３では、スターリングエンジン１０が運転状態とされる。触媒３００の温度Ｔが活性化下限温度ＴLOWに到達した後であるため、スターリングエンジン１０による排熱回収が行われる。図２に示すように、触媒３００の温度Ｔが活性化下限温度ＴLOWを超えた場合には、スターリングエンジン１０が運転状態とされる。ステップＳ３の次に、ステップＳ４が行われる。
【００４３】
［ステップＳ４］
ステップＳ４では、触媒３００の温度Ｔが予め設定された触媒３００が過熱状態となる下限値である過熱温度ＴOTを超えているか否かが判定される。スターリングエンジン１０の運転中も触媒３００の温度Ｔがモニタされ、ステップＳ５の判定が行われる。その判定の結果、触媒３００の温度Ｔが過熱温度ＴOTを超えていると判定された場合には、ステップＳ５に進み、そうでない場合にはステップＳ７に進む。
【００４４】
［ステップＳ５］
ステップＳ５では、バイパス通路４００のバルブ４１０が開状態とされる。これにより、作動流体の熱は再生器４６に蓄えられることなく、作動流体の熱は冷却器４５に捨てられるため、スターリングエンジン１０の効率が下がり、触媒３００に供給される排気ガスの温度が低下する。これにより、触媒３００の温度Ｔが低下し、長時間、過熱状態となることが防止される。図２に示すように、触媒３００の温度Ｔが過熱温度ＴOTを超えている場合には、再生器４６がバイパスされる。ステップＳ５の次には、本制御フローはリターンされる。
【００４５】
［ステップＳ６］
ステップＳ６では、スターリングエンジン１０が停止状態とされる。スターリングエンジン１０を停止状態とし、スターリングエンジン１０により熱回収が行われないようにすることによって、触媒３００の温度Ｔの上昇を促進させる。図２に示すように、触媒３００の温度Ｔが活性化下限温度ＴLOW以下である場合には、スターリングエンジン１０が停止状態とされる。ステップＳ６の次には、ステップＳ１が行われる。
【００４６】
［ステップＳ７］
ステップＳ７では、バイパス通路４００のバルブ４１０が閉状態とされる。これにより、作動流体の熱は再生器４６に蓄えられ、スターリングエンジン１０は通常運転状態とされる。図２に示すように、触媒３００の温度Ｔが過熱温度ＴOT以下である場合には、スターリングエンジン１０は通常運転される。ステップＳ７の次には、本制御フローはリターンされる。
【００４７】
次に、図３から図５を参照して、上記図１の動作において、触媒３００の温度Ｔに関連する温度が検出される箇所について説明する。ここでは、図３に示すように、温度センサをスターリングエンジン１０の上流側に設置する場合と、触媒３００に設置する場合について説明する。
【００４８】
（１）温度センサをスターリングエンジン１０よりも上流側に設置した場合
その温度センサによる検出値をＴａ（触媒対応温度）とし、触媒３００のＯＴを判定する閾値となる温度をＴswitchとすると、図４に示すように、Ｔａ＜Ｔswitchのときには、バイパス通路４００のバルブ４１０は閉とされ、Ｔａ＞Ｔswitchのときには、バイパス通路４００のバルブ４１０は開とされる。即ち、Ｔａ＞Ｔswitchが成立するか否かで触媒３００がＯＴであるか否かが判断される。
【００４９】
（２）温度センサを触媒３００に設置した場合
その温度センサによる検出値をＴｂ（触媒対応温度）とし、触媒３００のＯＴを判定する閾値となる温度をＴswitchとすると、Ｔ＝Ｔｂ、ＴOT＝Ｔswitchとなり、図５に示すように、Ｔｂ＜Ｔswitchのときには、バイパス通路４００のバルブ４１０は閉とされ、Ｔｂ＞Ｔswitchのときには、バイパス通路４００のバルブ４１０は開とされる。
ただし、ハンチングを防ぐため、バイパス通路４００のバルブ４１０の開閉を行う閾値の温度にヒステリシスを設ける必要がある。即ち、バイパス通路４００を開くと、触媒３００の温度Ｔは急に低下する。そのとき、Ｔｂ＜Ｔswitchの判断で、バイパス通路４００のバルブ４１０を閉じると、直ぐにＴｂ＝Ｔswitchまで触媒３００の温度Ｔが上昇してしまう。そこで、触媒３００の温度Ｔが十分下がるまでバイパス通路４００を開いておく必要がある。
【００５０】
次に、上記のように、加熱器４７が概ねＵ字形（カーブ形状）に形成される理由について説明する。
【００５１】
スターリングエンジン１０の熱源は、上記のように車両の主エンジン２００の排気ガスであり、スターリングエンジンに専用に用意された熱源ではない。そのため、それほど高い熱量が得られるわけではなく、排気ガスの例えば約８００℃程度の熱量でスターリングエンジン１０が作動する必要がある。そのために、スターリングエンジン１０の加熱器４７は排気管１００内の排ガスから効率的に受熱する必要がある。
【００５２】
加熱器４７、再生器４６、冷却器４５からなる熱交換器の体積は、出力に直接的には関与しない無効容積となっており、熱交換器の体積が増えると、スターリングエンジン１０の出力が減少する。一方で、熱交換器の体積をコンパクトにすると、その分、熱交換が困難となり受熱量が減少し、スターリングエンジン１０の出力が減少する。これらのことから、無効容積の減少と受熱量の増加とを両立させるためには、熱交換器の効率を上げる必要がある。そのために、加熱器４７は効率的に受熱する必要がある。
【００５３】
排気管１００内の排ガスから効率的に受熱し、かつ効率的に熱交換するためには、加熱器４７の全てを過不足なく排気管１００内に収容するとともに、排気ガスから受熱しないように冷却器４５を排気管１００の外に出す構成が必要である。このことから、排気管１００においてスターリングエンジン１０が取り付けられるフランジ１００ｆを基準にすると、少なくとも冷却器４５の高さ分だけ低温側シリンダ３２の取付位置は、高温側シリンダ２２よりも低い位置となる。即ち、低温側シリンダ３２の上部に形成される圧縮空間の位置は、高温側シリンダ２２の上部に形成される膨張空間の位置よりも低い位置となり、圧縮ピストン３１の上死点は、膨張ピストン２１の上死点の位置よりも低い位置となる。
【００５４】
本実施形態では、圧縮ピストン３１と膨張ピストン２１の上死点の位置を変えるために、各ピストンピン６０ａ、６０ｂとそれぞれのピストン３１、２１との間を、長さの異なる延長部（ピストン支柱部）６４ｂ、６４ａで連結している。膨張ピストン２１の上死点の位置の方が圧縮ピストン３１の上死点の位置よりも高い分だけ、膨張ピストン２１に連結される延長部６４ａは、圧縮ピストン３１に連結される延長部６４ｂよりも長さが長い。
【００５５】
本実施形態では、膨張ピストン２１自体と圧縮ピストン３１自体の高さ（各ピストン２１，３１の上面と各ピストン２１，３１における延長部６４ａ、６４ｂとの連結点２１ｃ、３１ｃとの間の距離）は同じになるように構成されていることから、長さの異なる延長部６４ａ、６４ｂを用いて各ピストン２１，３１の上死点の位置を変えている。この構成に代えて、膨張ピストン側と圧縮ピストン側とで延長部自体の長さは同じにし、膨張ピストン自体と圧縮ピストン自体の高さを変えるようにして構成することで、膨張ピストンと圧縮ピストンの上死点の位置を変える構成を採ることもできる。このように、膨張ピストン自体の上下方向の長さを圧縮ピストン自体に比べて大きくする技術的意義について次に説明する。
【００５６】
スターリングエンジン１０の効率の低下を抑制するため、高温側パワーピストン２０における膨張空間以外の空間及び低温側のパワーピストン３０における圧縮空間以外の空間、即ち、高温側パワーピストン２０及び低温側のパワーピストン３０のそれぞれにおけるクランクシャフト６１の周辺の空間は、常温に保たれる必要がある。そのため、膨張空間の高温の作動流体がクランクシャフト６１の高温側パワーピストン２０側の周辺の空間に流入したり、圧縮空間の低温の作動流体がクランクシャフト６１の低温側のパワーピストン３０側の周辺の空間に流入することがないように、高温側シリンダ２２と膨張ピストン２１とのシール及び低温側シリンダ３２と圧縮ピストン３１とのシールが確実に行われる必要がある（後述のように、そのシールには空気軸受４８が使用されている）。
【００５７】
一方で、上記のように、膨張空間を高温にすべく、高温側シリンダ２２の頂部２２ｂ及び側面２２ｃの上部は、排気管１００の内部に収容されるため、高温側シリンダ２２の上部及び膨張ピストン２１の上部が熱膨張する。高温側シリンダ２２及び膨張ピストン２１のそれぞれの上部の熱膨張する部分では、シールが確実に行えないおそれがある。このことから、上記のように、膨張ピストン２１及び高温側シリンダ２２の上下方向の長さを長く設定し、これにより、膨張ピストン２１の上下方向に温度勾配を持たせて、熱膨張の影響を受けない部分（膨張ピストン２１の下部）にてシールが確実に行えるようにすることができる。また、高温側シリンダ２２と膨張ピストン２１との間は、膨張ピストン２１の下部（熱膨張の影響を受けない部分）にてシールされるので、そのシール部の移動距離を十分に確保して膨張空間を十分に圧縮するために、高温側シリンダ２２の上下方向の長さが長く設定されることができる。
【００５８】
熱源の種類を問わず、その熱源から効率的に受熱し、かつ効率的に熱交換するためには、加熱器は、熱エネルギーを受熱するための伝熱面積がなるべく大きく、かつ冷却器が受熱しない場所に配置可能であるという意味において、上記実施形態の構成が望ましい。
【００５９】
特に、排熱を利用する場合には熱エネルギーは管を介して排ガスとして供給される場合が殆どであることとも相俟って、例えば管の内部のように受熱可能な領域が限定されている場合に、伝熱面積が極力大きく、かつ冷却器が受熱しない場所に配置される構成としては、上述したスターリングエンジン１０の構成が優れている。以下に、スターリングエンジン１０の構成の技術的意義について更に述べる。
【００６０】
無効容積部分（冷却器、再生器、加熱器）が小さい方が良いことは前述の通りであるが、無効容積部分に湾曲した形状を有している場合、湾曲部の数が多いと流路抵抗が大きくなり、また湾曲部の曲率が小さいと流路抵抗は大きくなる。即ち、作動流体の圧力損失を考慮すると、湾曲部の数は単一であり曲率は大きい方が良い。この点に関し、加熱器４７は概ねＵ字形であり、湾曲形状となっているが、湾曲部の数は１つである。また、冷却器４５は、スターリングエンジン１０の小型化（上下寸法の短縮）のために、湾曲部を有した構成とされており、上記のような特徴を有する構成とされている。
【００６１】
また、図１に示すように、上記実施形態の無効容積部分の曲率に関しては、直列並行に配置された２つのシリンダ２２、３２の上部同士を連結し、かつ排気管１００の内部において作動流体の流動抵抗の増大を抑制すべく概ね同一面上に設定された高温側シリンダ２２の頂部２２ｂ及び再生器４６の上面４６ａと、排気管１００の上部内面との間の上下方向の高さと、加熱器４７の端部４７ｔａ、４７ｔｂと中央部４７ｃの最上部との間の高さが概ね同じ高さｈになる構成に合わせて、その曲率（カーブ形状）が設定されている。排気管１００の内部のような限定された空間内で排気ガスのような流体の熱源との接触面積を大きく確保するためには、上記のようなカーブ形状が望ましい。
【００６２】
以上の観点からすると、無効容積部分のうち加熱器は、その全体が排気管の内部のような熱源からの熱を受ける限定された空間（受熱空間）内に収容されるとともに、その受熱空間内で、熱源からの伝熱面積を最大限に確保可能でかつ流路抵抗が最小となるように、例えばＵ字形やＪ字形のようなカーブ形状に構成されるのがよい。
【００６３】
再生器４６は、作動流体の流路抵抗を最小限にしつつ配置するために、低温側シリンダ３２の延在方向（軸線方向）に沿って（同一軸線上に）直線状に構成される。このように、加熱器４７の第２端部４７ｔｂに連結される再生器４６は、低温側シリンダ３２の延在方向に沿って設けられる。加熱器４７の第１端部４７ｔａは、高温側シリンダ２２の上部に隙間無く接続される。これらのことから、少なくとも加熱器４７の第１端部４７ｔａ及び第２端部４７ｔｂ側には、それぞれ高温側シリンダ２２、低温側シリンダ３２の延在方向に沿う部分を有し、加熱器４７の中央部４７ｃは、上述したようなカーブ形状を有する場合が多いことになる。
【００６４】
上述した技術的理由から、加熱器４７は、直列並行に配置された２つのシリンダ２２，３２間で、途中で方向変換（ターン）する形状に構成されている。加熱器４７は、直列並行に配置された２つのシリンダ２２，３２間を連結する曲線部分とを有している。
【００６５】
次に、ピストン・シリンダのシール構造及びピストン・クランク部の機構について説明する。
【００６６】
上記のように、スターリングエンジン１０の熱源が車両の内燃機関の排気ガスであることから、得られる熱量に制約があり、その得られる熱量の範囲でスターリングエンジン１０を作動させる必要がある。そこで、本実施形態では、スターリングエンジン１０の内部フリクションを可能な限り低減させることとしている。本実施形態では、スターリングエンジンの内部フリクションのうち最も摩擦損失が大きいピストンリングによる摩擦損失を無くすため、ピストンリングを使用せずに、その代わりに、シリンダ２２、３２とピストン２１、３１との間には、それぞれ空気軸受（エアベアリング）４８が設けられる。
【００６７】
空気軸受４８は、摺動抵抗が極めて小さいため、スターリングエンジン１０の内部フリクションを大幅に低減させることができる。空気軸受４８を用いても、シリンダ２２、３２とピストン２１、３１との間の気密は確保されるため、高圧の作動流体が膨張・収縮の際に漏れるという問題は生じない。
【００６８】
空気軸受４８は、シリンダ２２、３２とピストン２１、３１の間の微小なクリアランスで発生する空気の圧力（分布）を利用して，ピストン２１、３１が空中に浮いた形となる軸受である。本実施形態の空気軸受４８では、シリンダ２２、３２とピストン２１、３１との間の直径クリアランスは数十μmである。空中に物体を浮上させる空気軸受を実現するには、機構的に空気圧が強くなる部分（圧力勾配）ができるようにする他に、後述するように高圧の空気を吹きつけるものでもよい。
【００６９】
本実施形態では、高圧の空気を吹き付けるタイプの空気軸受ではなく、医療用ガラス製注射器のシリンダとピストンの間で用いられている空気軸受と同じ構成の空気軸受が用いられる。
【００７０】
また、空気軸受４８を使用することで、ピストンリングで用いる潤滑油が不要となるので、潤滑油によりスターリングエンジン１０の熱交換器（再生器４６，加熱器４７）が劣化するという問題が発生しない。なお、本実施形態では、ピストンリングにおける摺動抵抗と潤滑油の問題が解消されれば足りるので、流体軸受のうち油を使用する油軸受を除いた、気体軸受であれば空気軸受４８に限られることなく適用することができる。
【００７１】
本実施形態のピストン２１、３１とシリンダ２２、３２との間には、静圧空気軸受を用いることも可能である。静圧空気軸受とは、加圧流体を噴出させ、発生した静圧によって物体（本実施形態ではピストン２１、３１）を浮上させるものである。また、静圧空気軸受に代えて、動圧空気軸受を用いることも可能である。
【００７２】
空気軸受４８を用いて、ピストン２１、３１をシリンダ２２、３２内で往復運動させる際には、直線運動精度を空気軸受４８の直径クリアランス未満にしなくてはならない。また、空気軸受４８の負荷能力が小さいため、ピストン２１、３１のサイドフォースを実質的にゼロにしなくてはならない。即ち、空気軸受４８は、シリンダ２２、３２の直径方向（横方向，スラスト方向）の力に耐える能力（耐圧能力）が低いため、シリンダ２２、３２の軸線に対するピストン２１、３１の直線運動精度が高い必要がある。特に、本実施形態で採用する、微小クリアランスの空気圧を用いて浮上させて支持するタイプの空気軸受４８は、高圧の空気を吹き付けるタイプに比べても、スラスト方向の力に対する耐圧能力が低いため、その分だけ高いピストンの直線運動精度が要求される。
【００７３】
上記の理由から、本実施形態では、ピストン・クランク部にグラスホッパの機構（近似直線リンク）５０を採用する。グラスホッパの機構５０は、他の直線近似機構（例えばワットの機構）に比べて、同じ直線運動精度を得るために必要な機構のサイズが小さくて済むため、装置全体がコンパクトになるという効果が得られる。特に、本実施形態のスターリングエンジン１０は、自動車の排気管の内部にその加熱器４７が収容されるというように限られたスペースに設置されるため、装置全体がコンパクトである方が設置の自由度が増す。また、グラスホッパの機構５０は、同じ直線運動精度を得るために必要な機構の重量が他の機構よりも軽量で済むため、燃費の点で有利である。さらに、グラスホッパの機構５０は、機構の構成が比較的簡単であるため、構成（製造・組み立て）し易い。
【００７４】
図８は、スターリングエンジン１０のピストン・クランク機構の概略構成を示している。本実施形態において、ピストン・クランク機構は、高温側パワーピストン２０側と低温側パワーピストン３０側とで共通の構成を採用しているため、以下では、低温側パワーピストン３０側についてのみ説明し、高温側パワーピストン２０側についての説明は省略する。
【００７５】
図８及び図６に示すように、圧縮ピストン３１の往復運動は、コネクティングロッド１０９によって駆動軸４０に伝達され、ここで、回転運動に変換される。コネクティングロッド１０９は、図８に示す近似直線機構５０によって支持されており、低温側シリンダ３２を直線状に往復運動させる。このように、コネクティングロッド１０９を近似直線機構５０によって支持することにより、圧縮ピストン３１のサイドフォースＦがほとんどゼロになるので、負荷能力の小さい空気軸受４８によって十分に圧縮ピストン３１を支持することができる。
【００７６】
以上に述べた実施形態では、スターリングエンジン１０は、車両の内燃機関の排ガスを熱源とすべく排気管１００に取り付けた構成について説明した。但し、本発明のスターリングエンジンは、車両の内燃機関の排気管に取り付けられる形式のものに限定されるものではない。
【図面の簡単な説明】
【００７７】
【図１】本発明のスターリングエンジンの第１実施形態の制御動作を示すフローチャートである。
【図２】本発明のスターリングエンジンの第１実施形態の触媒温度と制御動作の関係を示すグラフである。
【図３】本発明のスターリングエンジンの第１実施形態のスターリングエンジンと内燃機関と触媒の取り付け位置の関係を示すブロック図である。
【図４】本発明のスターリングエンジンの第１実施形態において、第１の位置にて検出した温度とバイパス開閉動作の関係を示すグラフである。
【図５】本発明のスターリングエンジンの第１実施形態において、第２の位置にて検出した温度とバイパス開閉動作の関係を示すグラフである。
【図６】本発明のスターリングエンジンの第１実施形態の構成を示す正（断）面図である。
【図７】本発明のスターリングエンジンの第１実施形態のスターリングエンジンと内燃機関の取り付け状態を示す上面図である。
【図８】本発明の排気熱回収装置の第１実施形態において、適用される直線近似機構を説明するための説明図である。
【符号の説明】
【００７８】
１０  スターリングエンジン
２０  高温側パワーピストン
２１  膨張ピストン
２２  高温側シリンダ
２２ａ  高温側シリンダの上面
３０  低温側パワーピストン
３１  圧縮ピストン
３２  低温側シリンダ
４０  駆動軸
４５  冷却器
４６  再生器
４７  加熱器
４７ｔａ  第１端部
４７ｔｂ  第２端部
５０  近似直線機構
６１  クランクシャフト
６４ａ、６４ｂ  延長部
６５ａ、６５ｂ  コネクティングロッド
９０  カウンタウェイト（バランスウェイト）
１００  排気管
１０９  コネクティングロッド
２００  主エンジン
３００  触媒
４００  バイパス通路
４１０  バルブ
Ｔａ  温度
Ｔｂ  温度
ＴOT  温度
ＴLOW  温度
Ｔswitch  温度
【図１】
2005337178.tif 000003
【図２】
2005337178.tif 000004
【図３】
2005337178.tif 000005
【図４】
2005337178.tif 000006
【図５】
2005337178.tif 000007
【図６】
2005337178.tif 000008
【図７】
2005337178.tif 000009
【図８】
2005337178.tif 000010